(57)【特許請求の範囲】
【請求項１】
擬毛が植設される面を有する面部と、
擬毛が植設される第１の紐状部材が、前記面部の少なくとも一部の外側に離間して配置された外枠部と、
擬毛が植設される第２の紐状部材が、離間した前記面部と前記外枠部との間で、前記面部側及び前記外枠部側を頂部とする波形に配置された中間部と、
を備え、
前記第２の紐状部材の前記面部側の頂部及び前記面部が固定され、前記第２の紐状部材の前記外枠部側の頂部の少なくとも一部において、前記第２の紐状部材及び前記外枠部の前記第１の紐状部材が互いの位置を変更可能な状態で繋がっていることにより、離間した前記面部と前記外枠部とが前記中間部を介して繋がっていることを特徴とするかつらベース。
【請求項２】
前記第２の紐状部材の前記外枠部側の頂部の内側に、前記外枠部の前記第１の紐状部材が配置されていることを特徴とする請求項１に記載のかつらベース。
【請求項３】
前記第１の紐状部材及び前記第２の紐状部材が、可撓性を有しかつ変形形状を保持可能であることを特徴とする請求項１または２に記載のかつらベース。
【請求項４】
前記第１の紐状部材及び前記第２の紐状部材が中空の筒状に形成され、内部に可撓性を有しかつ変形形状を保持可能な芯材が挿入されていることを特徴とする請求項３に記載のかつらベース。
【請求項５】
前記第１の紐状部材及び前記第２の紐状部材において、表面の周方向の任意の位置に擬毛を植設可能であることを特徴とする請求項１から４の何れか1項に記載のかつらベース。
【請求項６】
前記面部並びに前記第１の紐状部材及び前記第２の紐状部材が、ネット状または網状の表面を有することを特徴とする請求項１から５の何れか1項に記載のかつらベース。
【請求項７】
請求項１から６の何れか１項に記載のかつらベースに擬毛が植設されたかつら。
【請求項８】
前記第１の紐状部材及び前記第２の紐状部材に同じ擬毛が植設されており、これにより前記中間部と前記外枠部とが固定されていることを特徴とする請求項７に記載のかつら。
【発明の詳細な説明】
【技術分野】
【０００１】
本発明は、かつらベース及びかつらベースに擬毛を植設したかつらに関する。
【背景技術】
【０００２】
人の頭部に装着するかつらは、通常、かつらベースと称するベース部分に擬毛を植設することによって形成される。このようなかつらの中には、使用者の自毛の生え具合に応じて、高い密度で擬毛が植設された領域と、それよりも低い密度で擬毛が植設された領域とを有するかつらであって、低い密度で植設された領域で自毛を引き出すことが可能なかつらが提案されている（例えば、特許文献１参照）。
【先行技術文献】
【特許文献】
【０００３】
【特許文献１】特開２００６−７０３９２
【発明の概要】
【発明が解決しようとする課題】
【０００４】
特許文献１に記載のかつらでは、細いメッシュのネットで構成された隠蔽部と、粗いメッシュのネットで構成された調整部とを備え、隠蔽部には高い密度で擬毛が植設され、調整部には、隠蔽部よりも低い密度で擬毛が植設されている。この調整部の粗いメッシュの開口から自毛を引き出して、自毛と擬毛が混ざり合った毛髪の外観を得ることができる。
【０００５】
しかし、特許文献１に記載の調整部のメッシュの開口は広くはないので、かつらの装着時に開口から自毛を引き出すのが困難である。また、メッシュの開口は角部を有するので、滑らかな毛並みを実現するのが難しく、メッシュの角部近傍に植設された擬毛と引き出された自毛とが自然に混ざり合う状態になりにくい。
更に、活毛部は場所に応じてメッシュのピッチを異ならせた特殊な形状を有しているので、かつらベースの製造コストが高くなる傾向にある。また、一度、メッシュのピッチを異ならせた特殊な形状を定めると、この形状を変更することは困難なので、使用者の自毛の生え具合や用途等に対応させて、様々なバリエーションを持たせることが困難である。  
【０００６】
本発明の実施態様にかかる目的は、上記の課題を解決するものであり、自毛を引き出すことができる領域において、使用者の自毛の状態や用途等に対応させて様々なバリエーションを持たせることが容易に実現でき、自毛を引き出すことが容易で、自然で美しい毛並みを有して、擬毛と自毛とが自然に混ざり合う外観を実現できるかつらベース及かつらを、低い製造コストで提供することを目的とする。  
【課題を解決するための手段】
【０００７】
上記の課題を解決するため、本発明に係るかつらベースの１つの実施態様では、
擬毛を植設可能な面を有する面部と、
擬毛を植設可能な第１の紐状部材が、前記面部の外側に離間して配置された外枠部と、
擬毛を植設可能な第２の紐状部材が、離間した前記面部と前記外枠部との間で波形に配置された中間部と、
を備え、
前記面部と前記外枠部とが前記中間部を介して繋がっている。
【０００８】
本発明に係るかつらの１つの実施態様では、上記のかつらベースに擬毛が植設されて構成される。
【発明の効果】
【０００９】
以上のように、本発明の実施態様においては、自毛を引き出すことができる領域において、自毛を容易に引き出すことができ、自然で美しい毛並みを有して、擬毛と自毛とが自然に混ざり合う外観を実現でき、使用者の自毛の状態や用途等に対応させて、容易に様々なバリエーションを得ることができるかつらベース及かつらを低い製造コストで提供することができる。
【図面の簡単な説明】
【００１０】
【図１】本発明の１つの実施形態に係るかつらベースを示す模式的な平面図である。
【図２】図１の矢印Ａから見た斜視図及び一部断面図であって、外枠部の第１の紐状部材及び中間部の第２の紐状部材の連結部分の構造の一実施形態を示す図である。
【図３】本発明の１つの実施形態に係るかつらを示す模式的な平面図である。
【図４】図３に示すかつらにおいて、面部に擬毛が植設された状態を示す模式的な側面図である。
【図５】図３に示すかつらにおいて、第１の紐状部材または第２の紐状部材に擬毛が植設された状態を示す模式的な断面図である。
【図６】本発明のその他の実施形態に係るかつらベースを示す模式的な平面図である。
【図７】本発明のその他の実施形態に係るかつらベースを示す模式的な平面図である。
【図８】外枠部の第１の紐状部材及び中間部の第２の紐状部材の連結部分の構造のその他の実施形態を示す模式的な斜視図及び一部断面図である。
【図９】本発明の実施例１に係るかつらベースを示す正面図である。
【図１０】本発明の実施例１に係るかつらベースを示す背面図である。
【図１１】本発明の実施例１に係るかつらベースを示す平面図である。
【図１２】本発明の実施例１に係るかつらベースを示す底面図である。
【図１３】本発明の実施例１に係るかつらベースを示す右側面図である。
【図１４】本発明の実施例１に係るかつらベースを示す左側面図である。
【図１５】本発明の実施例１に係るかつらベースを示す斜視図である。
【図１６】本発明の実施例２に係るかつらベースを示す正面図である。
【図１７】本発明の実施例２に係るかつらベースを示す背面図である。
【図１８】本発明の実施例２に係るかつらベースを示す平面図である。
【図１９】本発明の実施例２に係るかつらベースを示す底面図である。
【図２０】本発明の実施例２に係るかつらベースを示す右側面図である。
【図２１】本発明の実施例２に係るかつらベースを示す左側面図である。
【図２２】本発明の実施例２に係るかつらベースを示す斜視図である。
【図２３】本発明の実施例３に係るかつらベースを示す正面図である。
【図２４】本発明の実施例３に係るかつらベースを示す背面図である。
【図２５】本発明の実施例３に係るかつらベースを示す平面図である。
【図２６】本発明の実施例３に係るかつらベースを示す底面図である。
【図２７】本発明の実施例３に係るかつらベースを示す右側面図である。
【図２８】本発明の実施例３に係るかつらベースを示す左側面図である。
【図２９】本発明の実施例３に係るかつらベースを示す斜視図である。
【発明を実施するための形態】
【００１１】
本発明の実施態様１に係るかつらベースでは、
擬毛を植設可能な面を有する面部と、擬毛を植設可能な第１の紐状部材が、前記面部の外側に離間して配置された外枠部と、擬毛を植設可能な第２の紐状部材が、離間した前記面部と前記外枠部との間で波形に配置された中間部と、を備え、前記面部と前記外枠部とが前記中間部を介して繋がっている。
【００１２】
ここで、「繋がっている状態」には、縫合や接着等によって固定されている場合も含まれるし、互いの位置を変更可能な状態で繋がっている場合も含まれる。
「擬毛を植設可能な」とは、人毛や合成繊維で作った人工毛からなる擬毛を植設することが可能なことを意味する。この場合、既知の任意の擬毛植設手段を適用することができる。例えば、ネット状または網状の表面に結毛により擬毛を植設することもできし、合成樹脂からなる人工皮膚等のシート状の部材に、コーティング剤で擬毛を接着して植設することもできるし、シート状の部材に孔をあけて結毛することもできる。
「第１の紐状部材が面部の外側に離間して配置された外枠部」は、面部の周りを（離間して）囲むように配置された、第１の紐状部材が環状に形成されたものも含まれるし、第１の紐状部材によってこのような環の一部が形成され、第１の紐状部材の両端部が面部と繋がったものも含まれる。外枠部は滑らかな曲線で構成されることが好ましいが、用途に応じては、直線部や曲率半径の小さな曲線を含む場合もあり得る。
【００１３】
「第２の紐状部材が面部と外枠部との間に配置されて形成された波形」は、例えば、第２の紐状部材が、面部の周囲において、面部と外枠部との間をジグザグに進むような態様の形状が挙げられる。波形は、主に曲線から構成されることが好ましいが、用途に応じては、直線部や曲率半径の小さな曲線を含む場合もあり得る。
【００１４】
本実施態様に係るかつらベースに擬毛を植設して形成したかつらは、面部に高い密度で擬毛が植設され、面部と隣接した中間部では、紐状部材にだけ擬毛が植設されるので、面部に比べて、擬毛が植設される密度は低くなっている。このようなかつらを装着する場合、擬毛が密植された面部が自毛の少ない領域に位置するようにし、中間部において、紐状部材の間から自毛を引き出すことができる。よって、紐状部材に植設された擬毛と自毛とを混在させて配置することができ、引き出した自毛によって、かつらを頭部に保持することができる。
【００１５】
特に、自毛を引き出すことができる中間部において、第２の紐状部材が面部と外枠部との間で波形に配置されているので、例えば、波形の底部側に広い空間を確保することが可能であり、自毛を容易に引き出すことができる。また、波形が滑らかな曲線で構成されているので、自然で美しい毛並みを得ることができ、擬毛と自毛とが自然に混ざり合う外観を実現できる。
更に、１本の第２の紐状部材を波形に配置することで中間部を形成できるので、例えば、波形のピッチ等を変えることによって、使用者の自毛の状態や用途等に対応させて、容易に様々なバリエーションを得ることができ、特定形状の部材を作る必要がないので、かつらベースの製造コストを低減できる。
【００１６】
本発明の実施態様２に係るかつらベースでは、上記の実施態様１において、
前記外枠部の前記第１の紐状部材及び前記中間部の前記第２の紐状部材の連結部分の少なくとも一部において、互いの位置を変更可能な状態で繋がっている。
【００１７】
ここで、「外枠部の第１の紐状部材及び中間部の第２の紐状部材の連結部分の少なくとも一部において、互いの位置を変更可能な状態で繋がっている」とは、全ての連結部分で互いの位置を変更可能な状態で繋がっている場合も含まれるし、一部の連結部分で互いの位置を変更可能な状態で繋がっている場合も含まれる。後者の場合には、一部の連結部分で、第１の紐状部材及び第２の紐状部材が互いに固定されている場合があり得る。
なお、外枠部の第１の紐状部材及び中間部の第２の紐状部材の連結部分において、互いの位置を変更可能な状態で繋げる手段としては、後述するものを含め任意の手段を用いることができる。
【００１８】
本実施態様では、外枠部の第１の紐状部材及び中間部の第２の紐状部材の連結部分において、互いの位置を変更可能な状態で繋がっているので、使用者の自毛の状態や用途等に対応させて、中間部における紐状部材の配置を変更でき、幅広い使用者や様々な用途に適応可能なかつらベースを提供できる。
なお、紐状部材の配置の変更については、第２の紐状部材の位置変更だけでなく、それに応じた外枠部の第１の紐状部材の位置変更も考えられる。
【００１９】
本発明の実施態様３に係るかつらベースでは、上記の実施態様１または２において、
前記第２の紐状部材により形成される外側を頂部とする前記波形の該頂部の内側に、前記第１の紐状部材が配置されている。
【００２０】
本実施態様では、第２の紐状部材により形成される外側を頂部とする波形の頂部の内側に、外枠の第１の紐状部材が配置されているので、外枠部の第１の紐状部材及び中間部の第２の紐状部材の連結部分において、シンプルな構造で、確実に互いの位置を変更可能な状態での連結を実現できる。
【００２１】
本発明の実施態様４に係るかつらベースのでは、上記の実施態様１から３の何れかにおいて、
前記第１の紐状部材及び前記第２の紐状部材が、可撓性を有しかつ変形形状を保持可能である。
【００２２】
本実施態様では、第１の紐状部材及び第２の紐状部材が、可撓性を有しかつ変形形状を保持可能なので、使用者の自毛の状態や用途等に対応させて紐状部材の配置を変更でき、更にその状態を維持できるので、幅広い使用者が様々な用途に安心して使用できるかつらベースを提供できる。
【００２３】
本発明の実施態様５に係るかつらベースでは、上記の実施態様４において、
前記第１の紐状部材及び前記第２の紐状部材が中空の筒状に形成され、内部に可撓性を有しかつ変形形状を保持可能な芯材が挿入されている。
【００２４】
本実施態様では、紐状部材が中空の筒状に形成され、内部に可撓性を有しかつ変形形状を保持可能な芯材が挿入されているので、容易かつ確実に撓性を有しかつ変形形状を保持可能な紐状部材を提供できる。
【００２５】
第１の紐状部材及び第２の紐状部材について、可撓性を有しかつ変形形状を保持可能にする手段は、上記の実施態様に限られず、その他の任意の手段を用いることができる。例えば、シート状の部材を筒状にして、第１の紐状部材及び第２の紐状部材を形成する場合、シート状の部材に可撓性を有しかつ変形形状を保持可能な材料を用いることによって実現することもできる。また、可撓性を有しかつ変形形状を保持可能な細長いシートや紐状部材をらせん状に成形することによって、第１の紐状部材及び第２の紐状部材を、可撓性を有しかつ変形形状を保持可能にするようにすることが可能であり、らせん部に擬毛を結びつけて植設することも可能である。
【００２６】
本発明の実施態様６に係るかつらベースでは、上記の実施態様１から５の何れかにおいて、
前記第１の紐状部材及び前記第２の紐状部材において、表面の周方向の任意の位置に擬毛を植設可能である。
【００２７】
本実施態様では、紐状部材の表面の周方向の任意の位置に擬毛を植設可能なので、使用者の自毛の状態や用途等に対応させて、自然な毛髪の外観が得られるような最適な擬毛の配置を実現できる。つまり、混在させた自毛との違和感を与えずに、自然で美しい毛並みを実現できる。
【００２８】
本発明の実施態様７に係るかつらベースでは、上記の実施態様１から６の何れかにおいて、
前記面部並びに前記第１の紐状部材及び前記第２の紐状部材が、ネット状または網状の表面を有する。
【００２９】
ここで、「ネット状」も「網状」も、糸状や紐状の部材を格子状に結びつけた形状を意味し、網状の方がネット状よりも粗い目を有している。
本実施態様では、面部や紐状部材がネット状または網状の表面を有するので、結毛する、つまり擬毛をネットまたは網の枠部材（フィラメント）に捲回して結着固定することができる。よって、確実に擬毛を植設することができ、更に、通気性を持たせることができるので、かつらを装着したときに蒸れることを防ぐことができる。
【００３０】
本発明の実施態様８に係るかつらベースでは、上記の実施態様１から７の何れかにおいて、
前記中間部を構成する前記第２の紐状部材と前記面部とが固定されている。
【００３１】
本実施態様では、中間部を構成する第２の紐状部材と面部とが固定されているので、実用的に十分な強度を有するかつらベースを提供できる。
【００３２】
本発明の実施態様９に係るかつらでは、上記の実施態様１から８の何れかのかつらベースに擬毛が植設されている。
【００３３】
本実施態様では、上記の実施態様１から８の何れかに記載されたと同様な作用効果を奏することができる。特に、中間部の空間に自毛を引き出すことによって、擬毛と自毛とが混在一体となって区別がつかなくなる。これにより、擬毛と自毛との間の違和感を減らすことができ、より自然な外観を得ることができる。更に、自毛を中間部の空間に引き出すことによって、かつらを頭部により確実に固定することができるので、かつらがずれたり外れたりする虞を減らすことができる。
【００３４】
本発明の実施態様１０に係るかつらでは、上記の実施態様９において
前記第１の紐状部材及び前記第２の紐状部材に同じ擬毛を植設することによって、前記中間部と前記外枠部とを固定する。
【００３５】
本実施態様では、同じ擬毛を植設することによって中間部と外枠部とを固定することができるので、余計な接合部材等を用いずに、効率的に中間部と外枠部とを固定することができる。
次に、本発明の実施態様のかつらベース及びこのカツラベースを用いたかつらついて、以下に図面を用いながら詳細に説明する。
【００３６】
(かつらベースの概要の説明）
かつらベースは、かつらを構成する主要部材であり、人毛、人工毛等からなる擬毛を、このかつらベースに植設することにより、かつらが形成される。かつらベースの擬毛が植設されていない側の面が、頭部と接する装着面となる。
まず、図１及び図２を参照しながら、本発明の１つの実施形態に係るかつらベースの説明を行う。ここで、図１は、発明の１つの実施形態に係るかつらベース２を示す模式的な平面図であり、図２（ａ）は、図１の矢印Ａから見た斜視図であって、外枠部６の第１の紐状部材１０ａ及び中間部８の第２の紐状部材１０ｂの連結部分の構造の１つの実施形態を示す図である。更に、一部、第１の紐状部材１０ａの断面（図２（ａ）参照）及び第２の紐状部材１０ｂの断面（図２（ｂ）参照）も示されている。
本実施形態に係るかつらベース２は、図１に示すように、擬毛を植設可能な面を有する面部４と、擬毛を植設可能な第１の紐状部材１０ａが、面部４の外側に離間して配置された外枠部６と、擬毛を植設可能な第２の紐状部材１０ｂが、離間した面部４と外枠部６との間で波形に配置された中間部８と、を備える。また、面部４と外枠部６とが中間部８を介して繋がっている。
【００３７】
ここで、「繋がっている状態」には、縫合や接着等によって固定されている場合も含まれるし、互いの位置を変更可能な状態で繋がっている場合も含まれる。「擬毛を植設可能な」とは、人毛や、合成繊維で作った人工毛からなる擬毛を植設することが可能なことを意味する。
本実施形態の面部４は、図１に示すように、合成樹脂材料や天然材料からなるネット素材から構成されていて、ネット状の表面を有し、ネットのメッシュの開口に擬毛を通して、メッシュの枠部材（フィラメント）に結びつけて植設することができる。本実施形態では、２枚のネット素材を重ねて、その周囲部を縫い合わせることによって面部４を構成している。このような構成により、通気性を持たせることができるので、かつらを装着したときに蒸れることを防ぐことができる。更に、２枚のネット素材を重ね合わせることによって、かつらベースとして十分な強度を有することができる。擬毛の結び目を２枚のネット素材の間に配置することによって、擬毛が抜けたり損傷したりすることを防ぎ、使用者が装着したときに、結び目が頭部に当たる不具合を防ぐことができる。
なお、これに限られるものではなく、少なくとも、擬毛を植設する側にネット状の表面を有していればよく、用途に応じて、２枚のネット素材の間にシートや布を配置することも可能である。
【００３８】
一方、第１の紐状部材１０ａは、図１の矢印Ａから見た斜視図である図２（ａ）に示すように、ネット素材により中空な筒状に形成されていて、ネット状の表面を有している。図２（ａ）の矢印Ｄから見た断面図である図２（ｂ）に示すように、第２の紐状部材１０ｂについても、ネット素材により中空な筒状に形成されていて、ネット状の表面を有している。
ネット素材を筒状に形成する方法としては、合成樹脂等で形成する場合には、金型を用いて一体成形することができるし、合成樹脂材や天然材からなるシート状のネット素材を筒状に巻いて、両端部を溶着または縫着して形成することもできる。この筒状になったネット素材において、ネットのメッシュの開口に擬毛を通して、メッシュの枠部材（フィラメント）に結びつけて植設することができる。なお、第１の紐状部材１０ａ及び第２の紐状部材１０ｂとして、同じ材質、構造のものを用いていることもできるし、材質や形状が異なるものを用いることもできる。例えば、第１の紐状部材及び第２の紐状部材で、メッシュのピッチの異なるネット素材を用いることが考えられる。
同様に、面部４及び紐状部材１０ａ、１０ｂについても、メッシュのピッチが同一なネット素材を用いることもできるし、メッシュのピッチが異なるネット素材を用いることもできる。
【００３９】
上述の実施形態では、面部４も紐状部材１０ａ、１０ｂもネット状の表面を有しているが、これに限られるものではなく、用途に応じて、より目の粗い網状の表面を有することもできる。
以上のように、面部４や紐状部材１０ａ、１０ｂがネット状または網状の表面を有するので、結毛する、つまり擬毛をネットまたは網の枠部材（フィラメント）に捲回して結着固定することができる。よって、確実に擬毛を植設することができ、更に、通気性を持たせることができるので、かつらを装着したときに蒸れることを防ぐことができる。
【００４０】
なお、面部４や紐状部材１０ａ、１０ｂは、ネット状や網目状の表面を有する場合だけでなく、人工皮膚等の孔を有さないシート状の部材を用いることも可能であり、既知の任意の擬毛の植設方法を用いて、面部４、第１の紐状部材１０ａ及び第２の紐状部材１０ｂに擬毛を植設することができる。なお、更に詳細な説明は後述する。面部４の一方の面に擬毛を植設し、外枠部６を構成する第１の紐状部材１０ａ及び中間部８を構成する第２の紐状部材１０ｂに擬毛を植設することによって、かつらを形成することができる。
なお、図１に示す面部４の形状は一例であって、使用者の毛髪の状態等に合わせて、任意の大きさ、任意の形状の面部４を採用することができる。
【００４１】
図１に示すように、外枠部６は、第１の紐状部材１０ａによってこのような環の一部が形成され、その環の一部が面部４の外側に離間して配置され、第１の紐状部材１０ａの両端部が面部４に固定されている。この外枠部６は、滑らかな曲線で構成されている。外枠部６によって、かつらベースの外形を画定し、所定の機械的強度を与えている。
ただし、外枠部６の形状は、上記の限られるものではなく、例えば、第１の紐状部材１０ａによって環が形成され、その環が面部４の周りを（離間して）囲むように配置された場合もあり得る。
【００４２】
図１に示すように、中間部８において、第２の紐状部材１０ｂが、面部４の周囲において、面部４と外枠部６との間をジグザグに進むような態様で配置され、第２の紐状部材１０ｂが面部４と外枠部６との間に配置された波形が形成されている。これにより、中間部８は、滑らかな曲線から構成された外側を頂部とする７つの波形が形成されている。なお、図１に示す実施形態では、外側を頂部とする７つの波形が形成されているが、これに限られるものではなく、任意の数の波形を用いることができる。
【００４３】
図３には、図１に示すかつらベースに擬毛の植設を行って形成したかつら２０を示し、植設された擬毛によるかつらの外形を一点鎖線で模式的に示す。また、図４は、擬毛１４が面部４に植設された状態を示す側面図であり、図５は、擬毛１４が紐状部材１０ａ、１０ｂに植設された状態を示す断面図である。
図３から図５に示すかつらでは、面部４に擬毛を密集して植設し、外枠部６及び中間部８では、第１の紐状部材１０ａ及びの第２の紐状部材１０ｂにだけ擬毛を植設するので、中間部８における植設された擬毛の密度は、面部４よりも低くなっている。
【００４４】
図３から図５に示すかつら２０を使用者が装着する場合、擬毛１４を密植させた面部４が、頭の自毛の少ない領域に位置するように装着し、面部４と隣接した中間部８において、面部４と外枠部６との間で、図１及び図３の矢印Ｂに示す外側を頂点とする波形、及び矢印Ｃに示す内側を頂点とする波形の空間を用いて、自毛３０を引き出すことができる。
よって、第２の紐状部材１０ｂ（場合によっては、第１の紐状部材１０ａも）に植設された擬毛１４と自毛３０とを混在させて配置することができる。これにより、擬毛１４と自毛３０との間の違和感を減らすとともに、引き出した自毛３０により、頭に装着したかつら２０を安定して保持することができる。  
なお、矢印Ｂに示す空間を更に詳細に述べれば、第２の紐状部材１０ｂにより形成された外側を頂点とする波形、面部４及び第１の紐状部材１０ａで形成された外枠部６で囲まれた７箇所の空間である。矢印Ｃに示す空間を更に詳細に述べれば、第２の紐状部材１０ｂにより形成された内側を頂点とする波形（両端はその一部）、面部４及び第１の紐状部材１０ａで形成された外枠部６で囲まれた８箇所の空間である。  
【００４５】
本実施形態では、特に、自毛３０を引き出すことができる中間部８において、第２の紐状部材１０ｂが面部４と外枠部６との間で波形に配置されているので、例えば、波形の底部側に広い空間を確保することが可能であり、自毛を容易に引き出すことができる。
なお、自毛を引き出した後に、自毛を波形の頂部側に移動させて位置を調整することもできる。また、第２の紐状部材１０ｂが変形可能な場合には、波形の空間を広げて自毛を引き出すこともできし、底部側を絞り、中央部の空間を拡げた波形を採用することもできる。
図１に示すように、中間部８では、波形が滑らかな曲線で構成されているので、自然で美しい毛並みを得ることができ、擬毛１４と自毛３０とが自然に混ざり合う外観を実現できる。
更に、１本の第２の紐状部材１０ｂを波形に配置することで中間部８を形成できるので、例えば、波形のピッチ等を変えることによって、使用者の自毛の状態や用途等に対応させて、容易に様々なバリエーションを得ることができる。
また、特定形状の部材を作る必要がないので、かつらベース２及びかつら２０の製造コストを低減できる。
【００４６】
(かつらベースの詳細な説明）
本実施形態のカツラベース２の構造を更に詳細に説明すると、図１の矢印Ａから見た斜視図である図２（ａ）に示すように、第２の紐状部材１０ｂにより形成される外側を頂部とする波形の頂部の内側、つまり波状に配置された紐状部材１０ｂの外周側の波頂部の内側に、外枠部６の第１の紐状部材１０ａが配置されている。
【００４７】
これにより、外枠部６の第１の紐状部材１０ａ及び中間部８の第２の紐状部材１０ｂの連結部分において、互いの位置を変更可能な状態で繋がっているので、使用者の自毛の状態や用途等に対応させて、中間部８における第２の紐状部材１０ｂの位置変更、及び場合によっては、外枠部６の第１の紐状部材１０ａの位置変更が可能である。よって、使用者の自毛の状態や用途等に対応させることが可能であり、特に、幅広い使用者や様々な用途に適応可能なかつらベース２及びかつら２０を提供できる。
特に、本実施形態では、図２（ａ）に示すように、第２の紐状部材１０ｂにより形成される外側を頂部とする波形の頂部の内側に、外枠部６の第１の紐状部材１０ａが配置されているので、シンプルな構造で、確実に互いの位置を変更可能な状態での連結を実現できる。  
【００４８】
上記の実施形態では、外枠部６の第１の紐状部材１０ａ及び中間部８の第２の紐状部材１０ｂの全ての連結部分において、互いの位置を変更可能な状態で繋がっているが、これに限られるのではなく、外枠部６の第１の紐状部材１０ａ及び中間部８の第２の紐状部材１０ｂの一部の連結部分で互いの位置を変更可能な状態で繋がっており、他の連結部分で互いに固定されている場合もあり得る。
なお、外枠部６の第１の紐状部材１０ａ及び中間部８の第２の紐状部材１０ｂの連結部分において、互いの位置を変更可能な状態で繋げる手段としては、図２（ａ）に示すものに限られず、その他の任意の手段を用いることができる。その一例を、図８を用いて追って詳細に説明する。
【００４９】
図２（ａ）の第１の紐状部材１０１の断面部分に示すように、中空の筒状に形成された第１の紐状部材１０ａの内部に、可撓性を有しかつ変形形状を保持可能な芯材１２が挿入されている。同様に、図２の矢印Ｄから見た断面図である図２（ｂ）に示すように、中空の筒状に形成された第２の紐状部材１０ｂの内部にも、可撓性を有しかつ変形形状を保持可能な芯材１２が挿入されている。これにより、第１の紐状部材１０ａ及び第２の紐状部材１０ｂが、可撓性を有しかつ変形形状を保持可能になっている。
可撓性を有しかつ変形形状の保持可能な芯材１２としては、形状記憶可能な樹脂材料や、金属材料を用いることができる。
【００５０】
以上のように、本実施形態では、第１の紐状部材１０ａ及び第２の紐状部材１０ｂが、可撓性を有しかつ変形形状を保持可能なので、使用者の自毛の状態や用途等に対応させて紐状部材の配置を変更でき、更にその状態を維持できるので、幅広い使用者が様々な用途に安心して使用できるかつらベースを提供できる。特に、外枠部６の第１の紐状部材１０ａ及び中間部８の第２の紐状部材１０ｂの連結部分において、互いの位置を変更可能な状態で繋がっているので、様々な応用が期待できる。
特に、本実施形態では、図２（ａ）、（ｂ）に示すように、紐状部材１０ａ、１０ｂが中空の筒状に形成され、内部に可撓性を有しかつ変形形状を保持可能な芯材１２が挿入されているので、容易かつ確実に可撓性を有しかつ変形形状を保持可能な紐状部材１０ａ、１０ｂを提供できる。
【００５１】
ただし、第１の紐状部材１０ａ及び第２の紐状部材１０ｂを、可撓性を有しかつ変形形状を保持可能にする手段は、図２（ａ）に示す実施形態に限られるものではなく、その他の任意の手段を用いることができる。例えば、シート状の部材を筒状にして、第１の紐状部材１０ａ及び第２の紐状部材１０ｂを形成する場合、シート状の部材に可撓性を有しかつ変形形状を保持可能な材料を用いることによって実現することもできる。また、可撓性を有しかつ変形形状を保持可能な細長いシートや紐状部材をらせん状に成形することによって、第１の紐状部材１０ａ及び第２の紐状部材１０ｂを、可撓性を有しかつ変形形状を保持可能にするようにすることが可能であり、らせん部に擬毛を結びつけて植設することも可能である。
【００５２】
図２（ｂ）の第１の紐状部材１０ａの断面図、及び図２（ａ）の第２の紐状部材１０ｂの断面図に示すように、ネット素材により中空な筒状に形成されているので、第１の紐状部材１０ａ及び第２の紐状部材１０ｂにおいて、周方向の全面にネット状の面を有しており、表面の周方向の任意の位置に擬毛を植設可能である。
よって、本実施形態では、使用者の自毛の状態や用途等に対応させて、自然な毛髪の外観が得られるような最適な擬毛の配置を実現できる。つまり、混在させた自毛との違和感を与えずに、自然で美しい毛並みを実現できる。
【００５３】
また、図１に示すように、中間部８を構成する第２の紐状部材１０ｂと面部４とが固定されている。更に詳細に述べれば、波状に配置された第２の紐状部材１０ｂの両端部が面部４と固定され、両端部の間では、内側を頂部とする波形の頂部が面部４と固定されている。第２の紐状部材１０ｂ及び面部４の固定方法としては、例えば、縫い合わせて固定することもできるし、接着等によって固定することもできるし、固定部材を用いて固定することもできる。
【００５４】
本実施態様では、中間部８を構成する第２の紐状部材１０ｂと面部４とが固定されているので、実用的に十分な強度を有するかつらベース２及びかつら２０を提供できる。  
本実施形態では、中間部８を構成する第２の紐状部材１０ｂが面部４に固定されているが、これに限られるものではなく、中間部８を構成する第２の紐状部材１０ｂ及び面部４の少なくとも一部において、互いの位置を変更可能な状態で繋がるようにすることもできる。
【００５５】
(かつらの詳細な説明）
次に、図３から図５を用いて、上述のかつらベース２に擬毛を植設することによって形成されたかつら２０の説明を更に詳細に行う。
図４に示すように、面部４の一方の表面に擬毛１４を植設し、図５に示すように、外枠部６や中間部８を構成する紐状部材１０ａ、１０ｂの表面に擬毛を植設する。具体的には、面部４及び紐状部材１０ａ、１０ｂのネット状の表面に、結毛により擬毛１４を植設する。つまり、擬毛１４をネットの枠部材（フィラメント）に捲回して結着固定する。結毛方法に関する更に詳細な説明は省略するが、本実施形態では、既知の任意の結毛方法を用いることができる。  
また、結毛による擬毛の植設だけでなく、合成樹脂を加工した人工皮膚等のシート状の部材に、コーティング剤で擬毛を接着して植設することもできるし、シート状の部材に孔をあけて結毛することもできる。本実施形態では、既知のその他の任意の擬毛の植設手段を用いることができる。なお、図４及び図５においては、１つの植設箇所に１本の擬毛が植設されている態様が示されているが、これに限られるものではなく、１つの植設箇所に２本の擬毛が植設されている場合や、それ以上の本数の擬毛が植設されている場合もあり得る。
【００５６】
上述のように、第１の紐状部材１０ａ及び第２の紐状部材１０ｂには、表面の周方向で３６０度任意の位置に、擬毛を植設することができる（図５参照）。以上のようにして、図３に示すようなかつら２０が形成される。このとき、面部４には、擬毛が密集して植設されており、中間部８においては、紐状部材１０ｂにだけ擬毛が密集して植設されているので、面部４に比べて、植設された擬毛の密度は面部４よりも低くなっている。
【００５７】
よって、図３の矢印Ｂ、Ｃに示すような外側または内側を頂部とする波形の内部の空間に
自毛３０を引き出すことによって、擬毛１４と自毛３０とが混在一体となって区別がつかなくなる。これにより、擬毛１４と自毛３０との間の違和感を減らすことができ、より自然な外観を得ることができる。更に、自毛３０を中間部８の空間に引き出すことによって、かつら２０を頭部により確実に固定することができるので、かつらがずれたり外れたりする虞を減らすことができる。  
【００５８】
（かつらベースのその他の実施形態の説明）
外枠部６の第１の紐状部材１０ａ及び中間部８の第２の紐状部材１０ｂの接合部分の構造について、以下に、図６から図８を用いてのその他の実施形態の説明を行う。
【００５９】
＜図６に示す実施形態の説明＞
図６に示す実施形態に係るかつらベース２も、中間部８の第２の紐状部材１０ｂによって、外側を頂部とする７つの波形が形成されている。図１に示す実施形態では、外枠部６の第１の紐状部材１０ａ及び中間部８の第２の紐状部材１０ｂの全ての接合部分において、互いの位置を変更可能な状態で繋がっているが、本実施形態では、７つの波形のうち、１つおきに、頂部が外枠部６の第１の紐状部材１０ａに固定された波形と、頂部が外枠部６の第１の紐状部材１０ａと繋がっていない（非連結）の波形とを有する。
【００６０】
頂部が外枠部６の第１の紐状部材１０ａに固定された波形において、本実施形態では、第２の紐状部材１０ｂにより形成された波形の頂部が、外枠部６の第１の紐状部材１０ａの内側に位置して接している。ただし、これに限られるものではなく、逆に、第２の紐状部材１０ｂにより形成された波形の頂部が、外枠部６の第１の紐状部材１０ａの外側に位置して接している場合もあり得る。
波形の頂部と外枠部６の第１の紐状部材１０ａとの間の固定方法としては、例えば、縫い合わせて両者を固定することもできるし、接着等によって両者を固定することもできるし、固定部材を用いて固定することもできる。
【００６１】
更に、波形の頂部と外枠部６の第１の紐状部材１０ａとの固定方法として、第２の紐状部材１０ｂのネットのメッシュの開口及び第１の紐状部材１０ａのネットのメッシュの開口に、同一の擬毛を通して結着固定するとによって、両者を固定することもできる。
これによって、余計な縫い合わせ工程や、接着工程や、余分な固定部材を用いる必要がなく、低い製造コストで合理的に、波状に配置された中間部８の第２の紐状部材１０ｂにより形成された外周側の波頂部と、外枠部６の第１の紐状部材１０ａとを固定することができる。
【００６２】
頂部が外枠部６の第１の紐状部材１０ａと非連結の波形において、本実施形態では、第２の紐状部材１０ｂにより形成された波形の頂部と、外枠部６の第１の紐状部材１０ａとが離間した状態になっている。ただし、これに限られるものではなく、両者が接触した状態であって、かつ連結はしていない場合もあり得る。
【００６３】
本実施形態においては、中間部８の第２の紐状部材１０ｂにより形成された外側の頂部を有する波形の頂部と、外枠部６の第１の紐状部材１０ａとが固定された箇所によって、かつらベース２に十分な剛性、機械的強度を与えるとともに、波形の頂部と、外枠部６の第１の紐状部材１０ａと連結されていない箇所によって、波状に配置された中間部８の第２の紐状部材１０ｂや、外枠部６の第１の紐状部材１０ａを所望の形に変形させることができる。よって、用途や使用するタイミング等に応じて、様々なバリエーションを展開することができる。また、様々な頭部の形状や、自毛の生え具合に対応させて、最適な配置を行うことができる。
【００６４】
＜図７に示す実施形態の説明＞
図７に示す実施形態に係るかつらベース２も、中間部８の第２の紐状部材１０ｂによって、外側を頂部とする７つの波形が形成されている。図１に示す実施形態では、外枠部６の第１の紐状部材１０ａ及び中間部８の第２の紐状部材１０ｂの全ての接合部分において、互いの位置を変更可能な状態で繋がっているが、本実施形態では、７つの波形のうち、外枠部６の第１の紐状部材１０ａに固定された波形と、外枠部６の第１の紐状部材１０ａと非連結の波形と、外枠部６の第１の紐状部材１０ａと互いの位置を変更可能な状態で繋がっている波形とを有する。
【００６５】
更に詳細に述べれば、１つの波形において、外枠部６の第１の紐状部材１０ａに固定され、４つの波形において、外枠部６の第１の紐状部材１０ａと非連結になっており、２つの波形において、外枠部６の第１の紐状部材１０ａと互いの位置を変更可能な状態で繋がっている。かつらベース２は、全体として線対称な配置となっている。波形の頂部と外枠部６の第１の紐状部材１０ａとの間の固定箇所、非連結箇所、及び相対位置変更可能な連結箇所の態様については、上述の任意の態様を適用することができる。
第２の紐状部材１０ｂにより形成された波形の頂部と外枠部６の第１の紐状部材１０ａとの間の連結部分に関して、図７に示す実施形態はあくまで一例であり、固定、相対位置変更可能な連結及び非連結について、それらの全てを、またはそれらの一部を任意に組み合わせることができる。
【００６６】
本実施形態では、中間部８の第２の紐状部材１０ｂにより形成された１つの波形の頂部だけが、外枠部６の第１の紐状部材１０ａと固定されているが、外枠部６の第１の紐状部材１０ａの両端部が面部４と固定されており、更に、２つの波形で、外枠部６の第１の紐状部材１０ａと互いの位置を変更可能な状態で繋がっているので、かつらベース２に十分な剛性、機械的強度を与えることができる。
互いの位置を変更可能な状態で繋がっている波形において、波状に配置された中間部８の第２の紐状部材１０ｂや、外枠部６の第１の紐状部材１０ａを自由に変形させることができる。更に、外枠部６の第１の紐状部材１０ａと連結されていない波形において、波状に配置された中間部８の第１の紐状部材１０ａや、外枠部６の第２の紐状部材１０ｂをより自由に変形させることができる。よって、用途やタイミングに応じて、様々なバリエーションに対応することができる。また、様々な頭部の形状や、自毛の生え具合に対応させて、最適な配置を行うことができる。
【００６７】
＜図８に示す実施形態の説明＞
図８には、外枠部６の第１の紐状部材１０ａ及び中間部８の第２の紐状部材１０ｂの連結部分において、両者が互いの位置を変更可能な状態で繋がっている構造のその他の実施形態を示す。
本実施形態では、外枠部６の第１の紐状部材１０ａと中間部８の第２の紐状部材１０ｂとが、リング状の連結部材１６によって、互いの位置を変更可能な状態で繋がっている。リング状の連結部材１６は、例えば、合成樹脂や金属材料を用いて形成することができる。連結部材１６に切れ込み部分を設けておき、連結部材１６を弾性的にねじって、切れ込み部にできた隙間から、第１の紐状部材１０ａ及び第２の紐状部材１０ｂをリング内に通すことができる。また、紐状の部材を結んで輪にすることにより、図８に示すようなリング状の連結部材１６を設けることもできる。必要に応じて、リング状の連結部材１６がネット状または網状の表面を有するようにして、連結部材１６に擬毛を植設することも考えられる。
【００６８】
本実施形態においても、外枠部６の第１の紐状部材１０ａ及び中間部８の第２の紐状部材１０ｂの少なくとも一部において、相互位置を変更可能な状態の連結を実現できる。よって、中間部８の第２の紐状部材１０ｂや、外枠部６の第１の紐状部材１０ａを自由に変形させることができ、用途やタイミングに応じて、様々なバリエーションに対応することができる。また、様々な頭部の形状や、自毛の生え具合に対応させて、最適な配置を行うことができる。
【００６９】
上述に示したかつらベースの形状は、あくまで一例であり、中間部８には任意の数の波形を配置することが可能であり、面部４も任意の形状を有することができ、外枠部６の第１の紐状部材１０ａ及び中間部８の第２の紐状部材１０ｂの連結部分は、固定、非連結、相対位置変更可能な連結といった態様の中から任意の態様を採用することができる。
【００７０】
本発明のかつらベースにおいては、様々な形状を有するものが含まれるが、その一例を実施例１から実施例３として示す。実施例１から実施例３は、何れも、擬毛を植設することによってかつらを形成するかつらベースであって、擬毛を植設可能な面を有する面部と、擬毛を植設可能な第１の紐状部材が、面部の外側に離間して配置された外枠部と、擬毛を植設可能な第２の紐状部材が、離間した面部と外枠部との間で波形に配置された中間部とを備え、面部と外枠部とが中間部を介して繋がっている。
【００７１】
（実施例１の説明）
はじめに、図９から図１５を用いて、本発明の実施例１に係るかつらベースを説明する。実施例１に係るかつらベースは、中間部において、第２の紐状部材によって１０個の波形が形成されている。また、外枠部と繋がった面部の外周部分に波形の形状を有する。
ここで、図９は、本発明の実施例１に係るかつらベースを示す正面図であり、図１０は背面図であり、図１１は平面図であり、図１２は底面図であり、図１３は右側面図であり、図１４は左側面図であり、図１５は斜視図である。
【００７２】
（実施例２の説明）
次に、図１６から図２２を用いて、本発明の実施例２に係るかつらベースを説明する。実施例２に係るかつらベースは、中間部において、第２の紐状部材によって１２個の波形が形成されている。また、外枠部と繋がった面部の外周部分に略円弧状の形状を有する。
ここで、図１６は、本発明の実施例２に係るかつらベースを示す正面図であり、図１７は背面図であり、図１８は平面図であり、図１９は底面図であり、図２０は右側面図であり、図２１は左側面図であり、図２２は斜視図である。
【００７３】
（実施例３の説明）
次に、図２３から図２９を用いて、本発明の実施例３に係るかつらベースを説明する。実施例３に係るかつらベースは、中間部において、第２の紐状部材によって５個の波形が形成されている。また、外枠部と繋がった面部の外周部分に波形の形状を有する。
ここで、図２３は、本発明の実施例３に係るかつらベースを示す正面図であり、図２４は背面図であり、図２５は平面図であり、図２６は底面図であり、図２７は右側面図であり、図２８は左側面図であり、図２９は斜視図である。
【００７４】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００７５】
２      かつらベース。
４      面部
６      外枠部
８      中間部
１０ａ  第１の紐状部材
１０ｂ  第２の紐状部材
１２    芯材
１４    擬毛
１６    連結部材
２０    かつら
３０    自毛
【要約】
【課題】  毛を引き出すことができる領域において、使用者の自毛の状態や用途等に対応させて様々なバリエーションを持たせることが容易に実現でき、自毛を引き出すことが容易で、自然で美しい毛並みを有して、擬毛と自毛とが自然に混ざり合う外観を実現できるかつらベース及かつらを低い製造コストで提供する。  
【解決手段】  擬毛を植設可能な面を有する面部４と、擬毛を植設可能な第１の紐状部材１０ａが、面部４の外側に離間して配置された外枠部６と、擬毛を植設可能な第２の紐状部材１０ｂが、離間した面部４と外枠部６との間で波形に配置された中間部８と、を備え、面部４と外枠部６とが中間部８を介して繋がっているかつらベース２、及びこのかつらベースに擬毛が植設されたかつらを提供する。
【選択図】  図１【図１】
0005873205.tif 000002
【図２】
0005873205.tif 000003
【図３】
0005873205.tif 000004
【図４】
0005873205.tif 000005
【図５】
0005873205.tif 000006
【図６】
0005873205.tif 000007
【図７】
0005873205.tif 000008
【図８】
0005873205.tif 000009
【図９】
0005873205.tif 000010
【図１０】
0005873205.tif 000011
【図１１】
0005873205.tif 000012
【図１２】
0005873205.tif 000013
【図１３】
0005873205.tif 000014
【図１４】
0005873205.tif 000015
【図１５】
0005873205.tif 000016
【図１６】
0005873205.tif 000017
【図１７】
0005873205.tif 000018
【図１８】
0005873205.tif 000019
【図１９】
0005873205.tif 000020
【図２０】
0005873205.tif 000021
【図２１】
0005873205.tif 000022
【図２２】
0005873205.tif 000023
【図２３】
0005873205.tif 000024
【図２４】
0005873205.tif 000025
【図２５】
0005873205.tif 000026
【図２６】
0005873205.tif 000027
【図２７】
0005873205.tif 000028
【図２８】
0005873205.tif 000029
【図２９】
0005873205.tif 000030